(57)【特許請求の範囲】
【請求項１】
リング部材を前面に有する文字板と、前記リング部材の内側において指針本体基部と該指針本体基部に連成される指針本体指示部を有し光透過性を有する合成樹脂材料により成形された導光性を有する細長い先細り形状の指針本体からなり指針軸を中心にして回動し表示意匠を指示する指針と、該指針を構成する指針本体基部の下方で更には前記文字板の開口部よりも下に存する光源とを備え、前記指針本体基部に前記光源からの光を入射させる入射面と、該入射面から入射した光を前記指針の先端方向に反射する反射面を設けるとともに、前記指針本体基部の下面に前記指針軸の先端部が差し込まれる指針袴を取り付けてなる計器照明構造であって，
光透過性を有する合成樹脂材料により成形され導光性を有する部材で、前記光源からの光を入射する入射面と、前記光源からの光の一部を前記リング部材の内周面に向けて反射する反射面とを備えたリング部材照明用導光部を前記指針本体に設け，
前記指針本体を収納するとともに前記文字板の周縁部を載置して収納するケースを備え，
前記リング部材を、前記文字板の周縁部を押さえ付けるような状態で前記ケースに固定してなる
ことを特徴とする計器照明構造。
【請求項２】
請求項１に記載の計器照明構造において，
前記リング部材照明用導光部は，
前記文字板の開口部に装着し、内周面が略テーパとなる筒状に形成される前記ケースの内側に設けられ、光透過性を有する合成樹脂材料により成形され導光性を有する筒状の部材であって、その内周面及び外周面とも開口部側の方が大きく開口する略テーパを有する形状に形成されており、下面が前記光源からの光が入射する入射面として形成され、中間が前記指針本体基部の入射面に向けて光が透過するとともに、前記光源からの光の一部を前記リング部材の内周面に向けて反射する環状の反射面を備えた筒状の導光部本体によって構成し、前記指針本体基部の下面側に設けた
ことを特徴とする計器照明構造。
【請求項３】
請求項２に記載の計器照明構造において，
前記導光部本体の先端を前記文字板の開口部に挿通し、該文字板の前面から突出するように形成し、前記導光部本体の先端に導光された光を前記リング部材の内周面に向けて反射するように形成した
ことを特徴とする計器照明構造。
【請求項４】
請求項１に記載の計器照明構造において，
前記リング部材照明用導光部は，
光透過性を有する合成樹脂材料により成形され導光性を有し、周縁に前記光源から入射する光を前記リング部材の内周面に向けて反射する環状の反射面を備えた筒状の導光部本体によって構成し、前記指針本体基部の下面で該指針本体基部と前記指針袴との間に設けた
ことを特徴とする計器照明構造。
【請求項５】
請求項１に記載の計器照明構造において，
前記リング部材照明用導光部は，
光透過性を有する合成樹脂材料により成形され入射する前記光源からの光を導光して前記指針本体基部の反射面に導く導光性を有する略筒状の導光部本体と，
前記導光部本体の内部中間に形成され該導光部本体入射する前記光源からの光の一部をリング部材の内周面に向けて反射する環状の反射面と，
によって構成し、前記指針本体基部の下面から突出する該指針本体基部に一体成形して成形してなる
ことを特徴とする計器照明構造。
【請求項６】
請求項１に記載の計器照明構造において，
前記リング部材照明用導光部は，
前記指針袴の表面に前記光源からの光の一部を前記リング部材の内周面に向けて反射する環状の反射面を成形することによって構成した
ことを特徴とする計器照明構造。
【請求項７】
請求項２，３，４，５又は６に記載の計器照明構造において，
前記リング部材照明用導光部の導光部本体を透過出射してくる前記光源からの光の一部を反射する前記リング部材の内周面に、前記光をアイポイントに向けて反射する反射層を設けた
ことを特徴とする計器照明構造。
【発明の詳細な説明】
【技術分野】
【０００１】
本発明は、車両等に搭載される計器を照明する構造に関し、特に、文字板に設けたリング部材を照明するための計器照明構造に関する。
【背景技術】
【０００２】
近年、高級感や高品位感を増長させる等の目的で、例えば車両用計器は、様々な改良がなされている。下記特許文献１に開示された技術はそのうちの一つとして知られている。図１１において、下記特許文献１に開示されたメータ装置は、所定のトリガーによって光源１０１が点灯すると、その光源１０１から上方へ向かう光が文字板１０２の開口部１０３を通過して、指針基端部から指針１０４の内部に入射する。その入射光は、指針１０４の内部に形成された反射面等を経由して指針１０４の先端方向に導光され、ホットスタンプ層１０５が光輝する。これにより、指針１０４は、ホットスタンプ層１０５の色調及び光源１０１に依存した色調で視認されるようになる。
【０００３】
一方、光源１０１から上方へ向かう光は、図中の光Ｒ１、Ｒ２、Ｒ３で示されるように、文字板１０２の開口部１０３から漏れてリング部材１０６の方向へ進行する。そして、例えば、光Ｒ１、Ｒ２がリング部材１０６の曲線的な断面凸状の内壁１０７に反射して、上方に向かうと、ドライバーのアイポイントＥＰ１、ＥＰ２に到達する。また、光Ｒ３も特に図示しないが、内壁１０７に反射して、上方に向かいドライバーのアイポイントに到達する。
【０００４】
尚、図中の引用符号１０８は指針本体、１０９は指針キャップ、１１０は指針軸部、１１１は回転軸、１１２はモータ、１１３はベースプレート、１１４はバランサ、１１５は表示意匠、１１６は係止片、１１７は縁取り部材、１１８は係止穴、１１９は見返し板、１２０は表ガラス、１２１は小孔部を示している。
【特許文献１】特開２００３−２２２５３９号公報  （第６頁、第３図）
【発明の開示】
【発明が解決しようとする課題】
【０００５】
ところで、上記従来技術にあっては、開口部１０３からの漏れ光Ｒ１、Ｒ２、Ｒ３を利用して、リング部材１０６を光輝させるように構成されている。しかしながら、漏れ光Ｒ１、Ｒ２、Ｒ３は、比較的弱い光であるために、十分にリング部材１０６を光輝させることができないという問題点を有している。
【０００６】
尚、リング部材自体を発光させて対策することが考えられるが、リング部材に直接、導光部材を設けなければならず、スペースの確保が困難であることや、重量が嵩むこと、さらには構造が複雑になること等の幾つかの問題点が生じてしまう。従って、十分な対策がなされてないのが現状である。
【０００７】
本発明は、上述した事情に鑑みてなされるもので、省スペース化が可能であるとともに構造が簡単であり、さらには視認性のよい計器照明構造を提供することを課題とする。
【課題を解決するための手段】
【０００８】
上記課題を解決するためなされた請求項１記載の本発明の計器照明構造は、リング部材を前面に有する文字板と、前記リング部材の内側において指針本体基部と該指針本体基部に連成される指針本体指示部を有し光透過性を有する合成樹脂材料により成形された導光性を有する細長い先細り形状の指針本体からなり指針軸を中心にして回動し表示意匠を指示する指針と、該指針を構成する指針本体基部の下方で更には前記文字板の開口部よりも下に存する光源とを備え、前記指針本体基部に前記光源からの光を入射させる入射面と、該入射面から入射した光を前記指針の先端方向に反射する反射面を設けるとともに、前記指針本体基部の下面に前記指針軸の先端部が差し込まれる指針袴を取り付けてなる計器照明構造であって，
光透過性を有する合成樹脂材料により成形され導光性を有する部材で、前記光源からの光を入射する入射面と、前記光源からの光の一部を前記リング部材の内周面に向けて反射する反射面とを備えたリング部材照明用導光部を前記指針本体に設け，前記指針本体を収納するとともに前記文字板の周縁部を載置して収納するケースを備え，前記リング部材を、前記文字板の周縁部を押さえ付けるような状態で前記ケースに固定してなることを特徴としている。
このような特徴を有する本発明によれば、光源からの光がリング部材照明用導光部で反射される。そして、その反射された光がリング部材に進行する。これにより、リング部材が照明される。リング部材が照明されると恰もリング部材自身が発光したかのような状態になり、リング部材で反射される光が文字板前方のアイポイントに向けて進行する。
【０００９】
請求項２記載の本発明の計器照明構造は、請求項１に記載の計器照明構造において，前記リング部材照明用導光部を，前記文字板の開口部に装着し、内周面が略テーパとなる筒状に形成される前記ケースの内側に設けられ、光透過性を有する合成樹脂材料により成形され導光性を有する筒状の部材であって、その内周面及び外周面とも開口部側の方が大きく開口する略テーパを有する形状に形成されており、下面が前記光源からの光が入射する入射面として形成され、中間が前記指針本体基部の入射面に向けて光が透過するとともに、前記光源からの光の一部を前記リング部材の内周面に向けて反射する環状の反射面を備えた筒状の導光部本体とによって構成し、前記指針本体基部の下面側に設けたことを特徴としている。
このような特徴を有する本発明によれば、光源からの光が導光部本体に入射して、その導光部本体の先端の反射面で反射される。そして、その反射された光がリング部材に進行する。これにより、リング部材が照明される。
【００１０】
請求項３記載の本発明の計器照明構造は、請求項２に記載の計器照明構造において，前記導光部本体の先端を前記文字板の開口部に挿通し、該文字板の前面から突出するように形成し、前記導光部本体の先端に導光された光を前記リング部材の内周面に向けて反射するように形成したことを特徴としている。
このような特徴を有する本発明によれば、光源からの光が指針本体基部及び指針袴間に介在する導光部本体の反射面で反射される。そして、その反射された光がリング部材に進行する。これにより、リング部材が照明される。
【００１１】
請求項４記載の本発明の計器照明構造は、請求項１に記載の計器照明構造において，前記リング部材照明用導光部を，光透過性を有する合成樹脂材料により成形され導光性を有し、周縁に前記光源から入射する光を前記リング部材の内周面に向けて反射する環状の反射面を備えた筒状の導光部本体によって構成し、前記指針本体基部の下面で該指針本体基部と前記指針袴との間に設けたことを特徴としている。
このような特徴を有する本発明によれば、光源からの光が指針本体基部表面の反射面で反射される。そして、その反射された光がリング部材に進行する。これにより、リング部材が照明される。
【００１２】
請求項５記載の本発明の計器照明構造は、請求項１に記載の計器照明構造において，前記リング部材照明用導光部を，光透過性を有する合成樹脂材料により成形され入射する前記光源からの光を導光して前記指針本体基部の反射面に導く導光性を有する略筒状の導光部本体と，前記導光部本体の内部中間に形成され該導光部本体入射する前記光源からの光の一部をリング部材の内周面に向けて反射する環状の反射面と，によって構成し、前記指針本体基部の下面から突出する該指針本体基部に一体成形して成形してなることを特徴としている。
このような特徴を有する本発明によれば、光源からの光が、光源に向けて指針本体基部から突出する導光部本体に入射して、その導光部本体の中間の反射面で反射される。そして、その反射された光がリング部材に進行する。これにより、リング部材が照明される。
【００１３】
請求項６記載の本発明の計器照明構造は、請求項１に記載の計器照明構造において，前記リング部材照明用導光部を，前記指針袴の表面に前記光源からの光の一部を前記リング部材の内周面に向けて反射する環状の反射面を成形することによって構成したことを特徴としている。
このような特徴を有する本発明によれば、光源からの光が指針袴表面の環状の反射面で反射される。そして、その反射された光がリング部材に進行する。これにより、リング部材が照明される。
【００１４】
請求項７記載の本発明の計器照明構造は、請求項２，３，４，５又は６に記載の計器照明構造において，前記リング部材照明用導光部の導光部本体を透過出射してくる前記光源からの光の一部を反射する前記リング部材の内周面に、前記光をアイポイントに向けて反射する反射層を設けたことを特徴としている。
このような特徴を有する本発明によれば、指針の指針軸側からの光がリング部材を照明するとともに、リング部材の反射層によって文字板前方のアイポイントに向けて反射される。
【発明の効果】
【００１７】
請求項１に記載された本発明によれば、光源からの光をリング部材に向けて反射することが可能なリング部材照明用導光部を、指針本体に設けていることから、従来よりも視認性のよい計器照明構造を提供することができるという効果を奏する。また、構造が簡単で省スペース化を可能とする計器照明構造を提供することができるという効果を奏する。
【００１８】
請求項２，３に記載された本発明によれば、リング部材照明用導光部が、筒状に形成されるケースと，光源からの光の一部をリング部材の内周面に向けて反射する環状の反射面を備えた筒状の導光部本体とで構成されることから、省スペースで構造が簡単であり、さらには視認性がよくなる計器照明構造をより具体的な構造として提供することができるという効果を奏する。
【００１９】
請求項４に記載された本発明によれば、光源から入射する光をリング部材の内周面に向けて反射する環状の反射面を備えた筒状の導光部本体によって構成し、指針本体基部の下面で指針本体基部と指針袴との間に設けていることから、省スペースで構造が簡単であり、さらには視認性がよくなる計器照明構造をより具体的な構造として提供することができるという効果を奏する。
【００２１】
請求項５に記載された本発明によれば、リング部材照明用導光部が、光透過性を有する合成樹脂材料で光源からの光を指針本体基部の反射面に導く導光性を有する略筒状の導光部本体と，導光部本体の内部中間に形成され光源からの光の一部をリング部材の内周面に向けて反射する環状の反射面とによって構成し、指針本体基部の下面から突出する指針本体基部に一体成形して成形してあることから、省スペースで構造が簡単であり、さらには視認性がよくなる計器照明構造をより具体的な構造として提供することができるという効果を奏する。
【００２２】
請求項６に記載された本発明によれば、リング部材照明用導光部が、指針袴の表面に光源からの光の一部をリング部材の内周面に向けて反射する環状の反射面を成形することによって構成されることから、省スペースで構造が簡単であり、さらには視認性がよくなる計器照明構造をより具体的な構造として提供することができるという効果を奏する。
【００２４】
請求項７に記載された本発明によれば、リング部材全体を均一に照明することができるとともに、アイポイント以外への反射を抑制することができるという効果を奏する。
【発明を実施するための最良の形態】
【００２５】
以下、図面を参照しながら説明する。図１は本発明の計器照明構造の一実施の形態であり、コンビネーションメータに適用された場合の状態を示す正面図である。
【００２６】
図１において、引用符号１は本発明の計器照明構造が適用される一例としてのコンビネーションメータを示している。そのコンビネーションメータ１は、自動車に搭載されるものであって、燃料計部２、タコメータ部３、ウォーニング表示部４、方向指示部５、スピードメータ部６、オドメータ部７、及び水温計部８等を含んで構成されている。上記各部２〜８は、後述の数字、文字、キャラクタ等の表示意匠や意匠パターンを表示する文字板を有している。
【００２７】
コンビネーションメータ１の前面側を形成する見返し板９は、上記各部２〜８に対応する表示窓を有しており、側面及び後面側を構成するメータケース１０と一体化されて、コンビネーションメータ１の外形を構成している。上記各部２〜８の前方は、黒色系透明の表ガラス１１で覆われている。その表ガラス１１の色調と各文字板や見返し部の色調とが相まって、消灯時には、コンビネーションメータ１がブラックフェイス化されるように構成されている。
【００２８】
上記各文字板の後面側には、燃料計部２、タコメータ部３、スピードメータ部６、及び水温計部８の各指針を所定角度回転させる図示しないモータが配設されている。そのモータは、図示しない制御機構からの指令を受けて作動するように構成されている。オドメータ部７には、上記制御機構からの指令を受けて所定の累積走行距離を表示するＬＣＤ（Liquid Crystal Display）等の表示装置が設けられている。上記各文字板の後面側には、その各文字板及び上記指針に光を供給して照明する図示しない光源が配設されている。
【００２９】
燃料計部２は、その指針１２が文字板１３上に形成された表示意匠である燃料残量を指示するものとして構成されている。また、タコメータ部３は、その指針１４が文字板１５上に形成された表示意匠であるエンジン回転数を指示するものとして構成されている。ここで、タコメータ部３の駆動機構について簡単に説明すると、指針１４が文字板１５上の該当するエンジン回転数に対応する文字又は目盛りを指示することにより、エンジン回転数が表示されるようになっている。指針１４は、図示しないエンジン回転数を計測するセンサによって検出されたエンジン回転数に対応する値に基づき、上記制御機構及び上記モータを含む指針駆動機構により、所定角度だけ回動制御されるように構成されている。
【００３０】
ウォーニング表示部４は、オイル不足、ブレーキ警告、充電警告等の各警報をそれらに応じたキャラクタを照明することにより警報表示するものとして構成されている。方向指示部５は、車両走行方向の変更を指示するものとして構成されている。スピードメータ部６は、その指針１６が文字板１７上の走行スピードを指示するものとして構成されている。オドメータ部７は、累積走行距離を表示するものとして構成されている。水温計部８は、その指針１８が文字板１９上の水温を表示するものとして構成されている。これら各部２〜８の駆動機構は公知のものであり、本発明の要旨を理解するには必要がないので、ここではその説明を省略するものとする。尚、各文字板１３、１５、１７、及び１９は、それぞれ一枚の板状に形成してもよいし、近接する部位毎に一枚の板状に形成してもよいものとする。ここでは各文字板が独立しているものとする。
【００３１】
各文字板１３、１５、１７、及び１９は、所定のトリガー信号に応答して各文字板に対する文字板用光源から供給される光により、後面から照明されるようになっている。また、各文字板１３、１５、１７、及び１９に対応する指針１２、１４、１６、及び１８も所定のトリガー信号に応答して、指針用光源から供給される光により光輝するようになっている。尚、文字板用光源及び指針用光源を有することから、コンビネーションメータ１は、指針、文字板の順に時差点灯させたり、指針及び文字板を同時に点灯させたりすることができるように構成されている。これにより、点灯に応答して、ブラックフェイス化されていたメータ前面から鮮やかに各表示意匠が浮かび上がり、その浮かび上がった表示意匠がドライバーによって視認されるようになっている。
【００３２】
燃料計部２、タコメータ部３、スピードメータ部６、及び水温計部８には、それぞれ円形状のアナログタイプの表示意匠を周回するようなリング部材２０、２１、２２及び２３が設けられている。その各リング部材２０、２１、２２及び２３は、例えば蒸着や印刷等により金属調に仕上げられている。また、光沢性を有するように仕上げられている。各リング部材２０、２１、２２及び２３は、後述するリング部材照明用導光部を用いて光源からの光が供給され、そして、照明されるようになっている。各リング部材２０、２１、２２及び２３は、それぞれ照明されることにより、ドライバーに向けてリング状に光を発するようになっている。
【００３３】
次に、図２ないし図４を参照しながら、上記タコメータ部３を代表例として、リング部材２１の照明に関する構成及び作用効果を順に説明する。図２は図１のタコメータ部３の正面図、図３は図１のタコメータ部３の断面図、図４は図３の要部拡大図である。
【００３４】
図２において、文字板１５は、例えばポリカーボネートシートからなる光透過性を有する円板状の薄いシート部材からなるものであって、このような文字板１５には、エンジン回転数を示す数字「０」、「１」、「２」…やキャラクタ「×１０００ｒｐｍ」等の表示意匠が形成されている。その表示意匠は、上記数字やキャラクタを中抜きにして、文字板１５の前面に例えば黒系統色のインクを塗布することにより形成されている。エンジン回転数を示す数字「０」、「１」、「２」…は、指針軸２４（図３及び図４参照）を中心として文字板１５上を回動する指針１４の先端部により指示されるように配置形成されている。文字板１５上には、エンジン回転数を示す数字「０」、「１」、「２」…を周回するようにリング部材２１が設けられている。
【００３５】
図３及び図４において、指針１４は、光透過性を有する合成樹脂材料により成形された導光性を有する細長い先細り形状の指針本体２５を有している。指針本体２５の下面には、指針１４を所定の色に光輝させるためのホットスタンプ層が形成されている。このような指針本体２５は、指針本体基部２６と、その指針本体基部２６に連成される指針本体指示部２７とを有している。
【００３６】
指針本体指示部２７は、指針１４の上記先端部となる部分として形成されている。指針本体基部２６の下面には、指針軸２４の先端部が差し込まれる指針袴２８が取り付けられている。指針本体２５は、指針軸２４及び指針袴２８を中心にして文字板１５の前面側を回動するように取り付けられている。指針袴２８の反対側となる指針本体基部２６の上面側には、黒色の指針キャップ２９が取り付けられている。その指針キャップ２９は、指針本体基部２６を覆うことができる形状に形成されている。
【００３７】
指針本体基部２６には、水平方向の面となり、光源３０からの光が入射する入射面３１と、所定の角度で傾斜して入射面３１から入射した光３２を反射する反射面３３とが形成されている。反射面３３は、指針本体指示部２７に向けて光３２を反射するために形成されている。入射面３１及び反射面３３は、指針本体２５の長手方向において、指針軸２４の位置よりも後方、すなわち指針本体指示部２７が連成される部分の反対側となるように配置形成されている。
【００３８】
文字板１５は、ケース３４により配線板３５から所定の間隔を有するように配設されている。ケース３４には、文字板１５の周縁部を載置するための載置部が形成されており、その外側には係止孔３６が複数形成されている。係止孔３６には、リング部材２１に形成される係止突起３７が挿入係止されるようになっている。リング部材２１は、文字板１５の上記周縁部を押さえ付けるような状態でケース３４に固定されている。ケース３４の上面側であってリング部材２１の外側には、見返し板９が配設されている。尚、ケース３４は、メータケース１０（図１参照）の一部として形成してもよいものとする。
【００３９】
配線板３５の上面には、指針用の複数個の光源３０と、文字板用の複数個の光源３８とが設けられている。その光源３０及び３８は、文字板１５の後面から所定の間隔だけ離間するように配設されている。光源３０及び３８としては、例えばＬＥＤ（Light Emitting Diode）が利用可能であるものとする。配線板３５の下面には、上記指針駆動機構を構成するモータ３９が指針軸２４を貫通させた状態で固定されている。
【００４０】
文字板１５には、指針袴２８が差し込まれるとともに、指針用の複数個の光源３０からの光３２等が通過する円形の開口部４０が貫通形成されている。その開口部４０は、配線板３５の複数個の光源３０の上方に開口、且つ、指針本体基部２６の下方に開口するように形成されている。このような開口部４０には、本発明の要旨となるリング部材照明用導光部４１が設けられている。
【００４１】
リング部材照明用導光部４１は、光源３０からの光の一部、すなわち光４２、４３をリング部材２１の内周面４４に向けて反射するための部材であって、開口部４０に対して例えば接着等により固定されている。もう少し具体的に説明すると、リング部材照明用導光部４１は、文字板１５に対しての固定用のケース４５と、そのケース４５の内側に設けられる筒状の導光部本体４６と、導光部本体４６に形成される環状の反射面４７とを有して構成されている。
【００４２】
ケース４５は、合成樹脂製であって、文字板１５に対しての固定は勿論のこと、導光部本体４６を保持することができるように、その内周面が略テーパとなる筒状に形成されている。導光部本体４６は、光透過性を有する合成樹脂材料により成形された導光性を有する筒状の部材であって、その内周面及び外周面とも開口部４０側の方が大きく開口する略テーパを有する形状に形成されている。このような導光部本体４６の下面は、光源３０からの光３２、４２、及び４３が入射する入射面として形成されている。また、導光部本体４６の中間は、指針本体基部２６の入射面３１に向けて光３２が透過するとともに、光源３０からの光の一部となる光４２及び４３が導光部本体４６の先端に向けて反射されるように形成されている。
【００４３】
導光部本体４６の先端は、開口部４０に挿通されるとともに、文字板１５の前面から所定の高さ分だけ突出するような形状に形成されている。このような導光部本体４６の先端には、上述の如く、環状の反射面４７が形成されている。その反射面４７は、導光部本体４６の先端に導光された光４２、４３をリング部材２１の内周面４４に向けて反射する機能を有している。
【００４４】
上記構成において、所定のトリガーによって光源３０が点灯すると、その光源３０から上方へ向かう光３２、４２、及び４３は、リング部材照明用導光部４１の導光部本体４６の下面を介してその内部に入射する。そして、リング部材照明用導光部４１の内部に入射した光３２、４２、及び４３のうち、光３２は導光部本体４６の内周面から出射して指針本体基部２６の入射面３１に入射する。その入射面３１に入射した光３２は、指針本体基部２６の反射面３３等を経由して指針本体指示部２７に導光され、これに伴ってホットスタンプ層が光輝する。この時、指針本体２５は、ホットスタンプ層の色調及び光源３０に依存した色調でドライバーに視認されるようになる。
【００４５】
一方、リング部材照明用導光部４１の導光部本体４６の内部に入射した光４２及び４３は、導光部本体４６の先端に導光された後に反射面４７で反射され、導光部本体４６の先端から出射する。そして、その出射した光４２及び４３は、リング部材２１の内周面４４に向けて進行する。リング部材２１の内周面４４で反射された光４２及び４３は、上方に向かってドライバーのアイポイントに到達する。リング部材２１は、本形態において、メタリック調に発光するような状態になる。
【００４６】
尚、リング部材２１の内周面４４は、図示の如く外側に向かって開口するような傾斜（又は湾曲でもよい）を有するように形成されている。従って、このような内周面４４により反射された光４２及び４３は、ある程度の角度範囲を持って文字板１５の前方に向かうようになる。多少のアイポイントの変動は、吸収されるようになる。これにより、ドライバーの姿勢や体型に依存することなく高品位感を与えることが可能になるのは言うまでもない。
【００４７】
以上、図１ないし図４を参照しながら説明してきたように、光源３０からの光の一部（光４２及び４３）をリング部材２１に向けて反射させることが可能な機能を有するリング部材照明用導光部４１を指針本体基部２６の周辺、すなわち文字板１５の開口部４０に設けていることから、リング部材２１を従来よりも格段に明るい状態に照明することができる。従って、視認性のよい計器照明構造を提供することができるという効果を奏する。また、リング部材照明用導光部４１は、その構造が上述からも分かるように簡素であり、設置スペースも僅かですむことから、従来よりもよりよい計器照明構造を提供することができるという効果を奏する。
【００４８】
次に、図５を参照しながらリング部材照明用導光部の他の例（第二実施例）を説明する。図５は他の例（第二実施例）を示す要部拡大断面図である。尚、以下で説明する他の例は上記タコメータ部３を代表例として説明するものとする。
【００４９】
図５において、指針１４は、光透過性を有する合成樹脂材料により成形された導光性を有する細長い先細り形状の指針本体２５を有している。指針本体２５の下面には、指針１４を所定の色に光輝させるためのホットスタンプ層が形成されている。このような指針本体２５は、指針本体基部２６と、その指針本体基部２６に連成される指針本体指示部２７とを有している。
【００５０】
指針本体指示部２７は、指針１４の先端部となる部分として形成されている。指針本体基部２６の下面には、本発明の要旨となるリング部材照明用導光部５１が取り付けられている。また、リング部材照明用導光部５１の下面には、指針軸２４の先端部が差し込まれる指針袴２８が取り付けられている。指針本体２５は、指針軸２４及び指針袴２８を中心にして文字板１５の前面側を回動するように取り付けられている。指針袴２８の反対側となる指針本体基部２６の上面側には、黒色の指針キャップ２９が取り付けられている。その指針キャップ２９は、指針本体基部２６を覆うことができる形状に形成されている。
【００５１】
指針本体基部２６には、水平方向の面となり、配線板３５の光源３０からの光が入射する入射面３１と、所定の角度で傾斜して入射面３１から入射した光３２を反射する反射面３３とが形成されている。入射面３１は、光源３０に向けて指針本体基部２６から突出する導光部５２の端部に形成されている。導光部５２は、指針本体基部２６に一体成形されてなる部分であって、上記端部が文字板１５の開口部４０に差し込まれる程度の長さに形成されている。反射面３３は、指針本体指示部２７に向けて光３２を反射するために形成されている。入射面３１及び反射面３３は、指針本体２５の長手方向において、指針軸２４の位置よりも後方、すなわち指針本体指示部２７が連成される部分の反対側となるように配置形成されている。
【００５２】
リング部材照明用導光部５１は、光源３０からの光の一部、すなわち光４２、４３をリング部材２１の内周面４４に向けて反射するための部材であって、上述の如く、指針本体基部２６と指針袴２８との間に配設されている。リング部材照明用導光部５１は、例えば接着等により上記間に固定されている。もう少し具体的に説明すると、リング部材照明用導光部５１は、光透過性を有する合成樹脂材料により成形された導光性を有する円板状の導光部本体５３と、その導光部本体５３の周縁に形成される環状の反射面５４とを有して構成されている。反射面５４は、導光部本体５３に入射された光４２及び４３をリング部材２１の内周面４４に向けて反射する機能を有している。
【００５３】
上記構成において、所定のトリガーによって光源３０が点灯すると、その光源３０から上方へ向かう光３２は、導光部５２の入射面３１に入射する。そして、その入射面３１に入射した光３２は、指針本体基部２６の反射面３３等を経由して指針本体指示部２７に導光され、これに伴ってホットスタンプ層が光輝する。この時、指針本体２５は、ホットスタンプ層の色調及び光源３０に依存した色調でドライバーに視認されるようになる。
【００５４】
一方、リング部材照明用導光部５１の導光部本体５３に入射した光４２及び４３は、導光部本体５３の反射面５４で反射され、導光部本体５３の周縁から出射する。そして、その出射した光４２及び４３は、リング部材２１の内周面４４に向けて進行する。リング部材２１の内周面４４で反射された光４２及び４３は、上方に向かってドライバーのアイポイントに到達する。リング部材２１は、本形態において、メタリック調に発光するような状態になる。
【００５５】
以上、図５を参照しながら説明してきたように、光源３０からの光の一部（光４２及び４３）をリング部材２１に向けて反射させることが可能な機能を有するリング部材照明用導光部５１を指針本体基部２６の周辺、すなわち指針本体基部２６と指針袴２８との間に設けていることから、リング部材２１を従来よりも格段に明るい状態に照明することができる。従って、視認性のよい計器照明構造を提供することができるという効果を奏する。また、リング部材照明用導光部５１は、その構造が上述からも分かるように簡素であり、設置スペースも僅かですむことから、従来よりもよりよい計器照明構造を提供することができるという効果を奏する。
【００５６】
続いて、図６を参照しながらリング部材照明用導光部の他の例（第三実施例）を説明する。図６は他の例（第三実施例）を示す要部拡大断面図である。尚、以下で説明する他の例は上記タコメータ部３を代表例として説明するものとする。
【００５７】
図６において、指針１４は、光透過性を有する合成樹脂材料により成形された導光性を有する細長い先細り形状の指針本体２５を有している。指針本体２５の下面には、指針１４を所定の色に光輝させるためのホットスタンプ層が形成されている。このような指針本体２５は、指針本体基部２６と、その指針本体基部２６に連成される指針本体指示部２７とを有している。
【００５８】
指針本体指示部２７は、指針１４の先端部となる部分として形成されている。指針本体基部２６の表面（周縁）には、本発明の要旨となるリング部材照明用導光部６１が設けられている。また、指針本体基部２６の下面には、指針軸２４の先端部が差し込まれる指針袴２８が取り付けられている。指針本体２５は、指針軸２４及び指針袴２８を中心にして文字板１５の前面側を回動するように取り付けられている。指針袴２８の反対側となる指針本体基部２６の上面側には、黒色の指針キャップ２９が取り付けられている。その指針キャップ２９は、指針本体基部２６を覆うことができる形状に形成されている。
【００５９】
指針本体基部２６には、水平方向の面となり、配線板３５の光源３０からの光が入射する入射面３１と、所定の角度で傾斜して入射面３１から入射した光３２を反射する反射面３３とが形成されている。反射面３３は、指針本体指示部２７に向けて光３２を反射するために形成されている。入射面３１及び反射面３３は、指針本体２５の長手方向において、指針軸２４の位置よりも後方、すなわち指針本体指示部２７が連成される部分の反対側となるように配置形成されている。リング部材照明用導光部６１は、光源３０からの光の一部、すなわち光４２、４３をリング部材２１の内周面４４に向けて反射するための部分として形成されている。リング部材照明用導光部６１は、環状の反射面として形成されている。
【００６０】
上記構成において、所定のトリガーによって光源３０が点灯すると、その光源３０から上方へ向かう光３２は、指針本体基部２６の入射面３１に入射する。そして、その入射面３１に入射した光３２は、指針本体基部２６の反射面３３等を経由して指針本体指示部２７に導光され、これに伴ってホットスタンプ層が光輝する。この時、指針本体２５は、ホットスタンプ層の色調及び光源３０に依存した色調でドライバーに視認されるようになる。
【００６１】
一方、リング部材照明用導光部６１で反射された光４２及び４３は、リング部材２１の内周面４４に向けて進行する。リング部材２１の内周面４４で反射された光４２及び４３は、上方に向かってドライバーのアイポイントに到達する。リング部材２１は、本形態において、メタリック調に発光するような状態になる。
【００６２】
以上、図６を参照しながら説明してきたように、光源３０からの光の一部（光４２及び４３）をリング部材２１に向けて反射させることが可能な機能を有するリング部材照明用導光部６１を指針本体基部２６に設けていることから、リング部材２１を従来よりも格段に明るい状態に照明することができる。従って、視認性のよい計器照明構造を提供することができるという効果を奏する。また、リング部材照明用導光部６１は、その構造が上述からも分かるように簡素であり、設置スペースも僅かですむことから、従来よりもよりよい計器照明構造を提供することができるという効果を奏する。
【００６３】
続いて、図７を参照しながらリング部材照明用導光部の他の例（第四実施例）を説明する。図７は他の例（第四実施例）を示す要部拡大断面図である。尚、以下で説明する他の例は上記タコメータ部３を代表例として説明するものとする。
【００６４】
図７において、指針１４は、光透過性を有する合成樹脂材料により成形された導光性を有する細長い先細り形状の指針本体２５を有している。指針本体２５の下面には、指針１４を所定の色に光輝させるためのホットスタンプ層が形成されている。このような指針本体２５は、指針本体基部２６と、その指針本体基部２６に連成される指針本体指示部２７とを有している。
【００６５】
指針本体指示部２７は、指針１４の先端部となる部分として形成されている。指針本体基部２６の下面には、本発明の要旨となるリング部材照明用導光部７１が連成されている。指針本体基部２６の上面側には、黒色の指針キャップ２９が取り付けられている。その指針キャップ２９は、指針本体基部２６を覆うことができる形状に形成されている。指針キャップ２９の内側中央には、指針袴に相当する部分２８が形成されている。その部分２８には、指針軸２４の先端部が差し込まれるようになっている。
【００６６】
リング部材照明用導光部７１は、光源３０に向けて指針本体基部２６の下面から突出する略筒状の導光部本体７２と、その導光部本体７２の内部中間に形成される環状の反射面７３とを有して構成されている。導光部本体７２は、光源３０からの光３２を導光するとともに、光源３０からの光の一部、すなわち光４２、４３をリング部材２１の内周面４４に向けて反射するための部材であって、光透過性を有する合成樹脂材料により成形されている。導光部本体７２の端部（下面）には、配線板３５の光源３０からの光が入射する入射面３１が形成されている。
【００６７】
指針本体基部２６には、所定の角度で傾斜して入射面３１から入射した光３２を反射する反射面３３が形成されている。リング部材照明用導光部７１の反射面７３は、導光部本体７２に入射された光４２及び４３をリング部材２１の内周面４４に向けて反射する機能を有している。導光部本体７２は、指針本体基部２６に一体成形されてなる部分であって、上記端部が文字板１５の開口部４０に差し込まれる程度以上の長さに形成されている。
【００６８】
上記構成において、所定のトリガーによって光源３０が点灯すると、その光源３０から上方へ向かう光３２は、導光部本体７２の入射面３１に入射する。そして、その入射面３１に入射した光３２は、指針本体基部２６の反射面３３等を経由して指針本体指示部２７に導光され、これに伴ってホットスタンプ層が光輝する。この時、指針本体２５は、ホットスタンプ層の色調及び光源３０に依存した色調でドライバーに視認されるようになる。
【００６９】
一方、リング部材照明用導光部７１の導光部本体７２に入射した光４２及び４３は、導光部本体７２の反射面７３で反射され、導光部本体７２の周縁から出射する。そして、その出射した光４２及び４３は、リング部材２１の内周面４４に向けて進行する。リング部材２１の内周面４４で反射された光４２及び４３は、上方に向かってドライバーのアイポイントに到達する。リング部材２１は、本形態において、メタリック調に発光するような状態になる。
【００７０】
以上、図７を参照しながら説明してきたように、光源３０からの光の一部（光４２及び４３）をリング部材２１に向けて反射させることが可能な機能を有するリング部材照明用導光部７１を指針本体基部２６に設けていることから、リング部材２１を従来よりも格段に明るい状態に照明することができる。従って、視認性のよい計器照明構造を提供することができるという効果を奏する。また、リング部材照明用導光部７１は、その構造が上述からも分かるように簡素であり、設置スペースも僅かですむことから、従来よりもよりよい計器照明構造を提供することができるという効果を奏する。
【００７１】
続いて、図８を参照しながらリング部材照明用導光部の他の例（第五実施例）を説明する。図８は他の例（第五実施例）を示す要部拡大断面図である。尚、以下で説明する他の例は上記タコメータ部３を代表例として説明するものとする。
【００７２】
図８において、指針１４は、光透過性を有する合成樹脂材料により成形された導光性を有する細長い先細り形状の指針本体２５を有している。指針本体２５の下面には、指針１４を所定の色に光輝させるためのホットスタンプ層が形成されている。このような指針本体２５は、指針本体基部２６と、その指針本体基部２６に連成される指針本体指示部２７とを有している。
【００７３】
指針本体指示部２７は、指針１４の先端部となる部分として形成されている。指針本体基部２６の近傍には、指針軸２４の先端部が差し込まれる指針袴２８が取り付けられている。指針本体２５は、指針軸２４及び指針袴２８を中心にして文字板１５の前面側を回動するように取り付けられている。指針袴２８の上側には、黒色の指針キャップ２９が取り付けられている。その指針キャップ２９は、指針本体基部２６を覆うことができる形状に形成されている。
【００７４】
指針本体基部２６には、水平方向の面となり、配線板３５の光源３０からの光が入射する入射面３１と、所定の角度で傾斜して入射面３１から入射した光３２を反射する反射面３３とが形成されている。反射面３３は、指針本体指示部２７に向けて光３２を反射するために形成されている。
【００７５】
指針袴２８には、本発明の要旨となるリング部材照明用導光部８１が設けられている。リング部材照明用導光部８１は、光源３０からの光の一部、すなわち光４２、４３をリング部材２１の内周面４４に向けて反射するための部分として形成されている。リング部材照明用導光部８１は、指針袴２８の表面の環状の反射面として形成されている。また、リング部材照明用導光部８１は、反射効率のよい例えば白色系の色の面として形成されている。
【００７６】
上記構成において、所定のトリガーによって光源３０が点灯すると、その光源３０から上方へ向かう光３２は、指針本体基部２６の入射面３１に入射する。そして、その入射面３１に入射した光３２は、指針本体基部２６の反射面３３等を経由して指針本体指示部２７に導光され、これに伴ってホットスタンプ層が光輝する。この時、指針本体２５は、ホットスタンプ層の色調及び光源３０に依存した色調でドライバーに視認されるようになる。
【００７７】
一方、リング部材照明用導光部８１で反射された光４２及び４３は、リング部材２１の内周面４４に向けて進行する。リング部材２１の内周面４４で反射された光４２及び４３は、上方に向かってドライバーのアイポイントに到達する。リング部材２１は、本形態において、メタリック調に発光するような状態になる。
【００７８】
以上、図８を参照しながら説明してきたように、光源３０からの光の一部（光４２及び４３）をリング部材２１に向けて反射させることが可能な機能を有するリング部材照明用導光部８１を指針袴２８の表面に設けていることから、リング部材２１を従来よりも格段に明るい状態に照明することができる。従って、視認性のよい計器照明構造を提供することができるという効果を奏する。また、リング部材照明用導光部８１は、その構造が上述からも分かるように簡素であり、設置スペースも僅かですむことから、従来よりもよりよい計器照明構造を提供することができるという効果を奏する。
【００７９】
その他、本発明は本発明の主旨を変えない範囲で種々変更実施可能なことは勿論である。
【００８０】
尚、上述の計器照明構造は、タコメータ部以外にも適用することが可能であるものとする。また、ブラックフェースタイプや時差点灯タイプのメータ装置の計器照明構造のみならず、一般的なメータ装置の計器照明構造としても適用することが可能であるものとする。さらに、リング部材２１の形状は完全な円形リング状に限るものではなく、楕円形リング状や一部が切り欠かれたリング状であってもよいものとする。さらにまた、リング部材２１の内周面４４に、図９に示されるような目盛り９１を設けて目盛り付きリング部材９２としてもよいものとする。
【００８１】
さらにまた、リング部材２１の内周面４４に、図１０に示されるような反射層９５を設けて、リング部材２１全体を均一に照明するとともに、アイポイントＥＰ以外への反射を抑制するような構造にしてもよいものとする。ここでの反射層９５は、例えばシボ、セレーション、ブラッシング等の加工を施すことにより設けられている（この限りではないものとする。反射層９５は塗装等でも代用可能である）。図１０中の矢印は、リング部材照明用導光部からの、言い換えれば指針軸側からの光の進路を示している。
【図面の簡単な説明】
【００８２】
【図１】本発明による計器照明構造の一実施の形態であり、コンビネーションメータに適用された場合の状態を示す正面図である。
【図２】図１のタコメータ部の正面図である。
【図３】図１のタコメータ部の断面図である。
【図４】図３の要部を拡大した図である。
【図５】他の例（第二実施例）を示す要部拡大断面図である。
【図６】他の例（第三実施例）を示す要部拡大断面図である。
【図７】他の例（第四実施例）を示す要部拡大断面図である。
【図８】他の例（第五実施例）を示す要部拡大断面図である。
【図９】リング部材の他の例を示す斜視図である。
【図１０】リング部材の更に他の例を示す断面図である。
【図１１】従来例のメータ装置の要部断面図である。
【符号の説明】
【００８３】
１  コンビネーションメータ
３  タコメータ部
１４  指針
１５  文字板
２１  リング部材
２４  指針軸
２５  指針本体
２６  指針本体基部
２７  指針本体指示部
２８  指針袴
２９  指針キャップ
３０  光源
３２  光
４０  開口部
４１  リング部材照明用導光部
４２、４３  光
４４  内周面
４５  ケース
４６  導光部本体
４７  反射面
５１  リング部材照明用導光部
５２  導光部
５３  導光部本体
５４  反射面
６１  リング部材照明用導光部
７１  リング部材照明用導光部
７２  導光部本体
７３  反射面
８１  リング部材照明用導光部
９１  目盛り
９２  目盛り付きリング部材
９５  反射層
【図１】
0004610937.tif 000002
【図２】
0004610937.tif 000003
【図３】
0004610937.tif 000004
【図４】
0004610937.tif 000005
【図５】
0004610937.tif 000006
【図６】
0004610937.tif 000007
【図７】
0004610937.tif 000008
【図８】
0004610937.tif 000009
【図９】
0004610937.tif 000010
【図１０】
0004610937.tif 000011
【図１１】
0004610937.tif 000012